(57)【特許請求の範囲】
【請求項１】
腰壁パネルの下端部を幅木の上端部にて受ける腰壁パネルの幅木受け構造であって、腰壁パネルと幅木との間に、腰壁パネルの下端部を挿入支持可能な挿入部を有する受け部材が介在されており、受け部材の挿入部が、平板部と、平板部の前端縁から上方に立延設した前方立板部と、平板部の後端縁から前方立板部よりも上方に長く立延設した、壁面にねじ固定可能な後方立板部と、から構成され、腰壁パネルの下端部が前方立板部と後方立板部との間で挟持されるとともに受け部材が壁面に固定可能とされていることを特徴とする腰壁パネルの幅木受け構造。
【発明の詳細な説明】
【０００１】
【発明の属する技術分野】
この出願の発明は、腰壁パネルの幅木受け構造に関するものである。さらに詳しくは、この出願の発明は、腰壁パネルの施工、特に幅木が既に設置されている壁面への腰壁パネルの施工に有用な、新しい腰壁パネルの幅木受け構造に関するものである。
【０００２】
【従来の技術】
従来、たとえば図３および図４に例示したように、住宅等の屋内壁面（１）に腰壁パネル（２）を取り付ける際、壁面（１）下部に幅木（３）が既に設置されている場所にてその取付けを行う場合では、腰壁パネル（２）の下端部を幅木（３）の上端部にて受けるようにすることがしばしばある。
【０００３】
【発明が解決しようとする課題】
しかしながら、腰壁パネル（２）の下端部を幅木（３）の上端部にて受けるには、従来では、既設の通常の幅木（３）を、腰壁パネル（２）の下端部を挿入支持可能な腰壁専用幅木（ア）にわざわざ取り替える必要があり、腰壁パネル（２）の施工に余計な時間やコストがかかってしまうといった問題があった。
【０００４】
この出願の発明は、以上のとおりの事情に鑑みてなされたものであり、従来技術の問題点を解消し、既設の幅木を腰壁専用幅木に取り替えることなくそのまま利用して、腰壁パネルを容易に施工することのできる、新しい腰壁パネルの幅木受け構造を提供することを課題としている。
【０００５】
【課題を解決するための手段】
この出願の発明は、上記の課題を解決するものとして、第１には、腰壁パネルの下端部を幅木の上端部にて受ける腰壁パネルの幅木受け構造であって、腰壁パネルと幅木との間に、腰壁パネルの下端部を挿入支持可能な挿入部を有する受け部材が介在されており、受け部材の挿入部が、平板部と、平板部の前端縁から上方に立延設した前方立板部と、平板部の後端縁から前方立板部よりも上方に長く立延設した、壁面にねじ固定可能な後方立板部と、から構成され、腰壁パネルの下端部が前方立板部と後方立板部との間で挟持されるとともに受け部材が壁面に固定可能とされていることを特徴とする腰壁パネルの幅木受け構造を提供する。
【０００７】
【発明の実施の形態】
この出願の発明は、上記のとおりの特徴を有するものであるが、以下に図面に沿ってその実施の形態についてさらに詳しく説明する。
【０００８】
図１および図２は、各々、この出願の発明の腰壁パネルの幅木受け構造を説明するための図である。たとえばこれら図１および図２に示したように、この出願の発明の腰壁パネルの幅木受け構造は、腰壁パネル（２）の下端部を幅木（３）の上端部にて受ける構造であって、腰壁パネル（２）と幅木（３）との間に、腰壁パネル（２）の下端部を挿入支持可能な挿入部（４１）を有する受け部材（４）を介在させることを特徴としており、これによって、従来のような既設の幅木（３）を腰壁専用幅木（ア）に取り替えるといった煩雑な作業は行うことなく、既設の幅木（３）をそのまま利用した腰壁パネル（２）の容易な施工を実現している。
【０００９】
この場合さらに説明すると、まず図１の実施形態では、受け部材（４）は、平板部（４１１）と平板部（４１１）の前端縁から立延設した前方立板部（４１２）とにより形成された挿入部（４１）を有する断面略Ｌ字状体となっている。この受け部材（４）は、たとえば、平板部（４１１）および前方立板部（４１２）を一体成形した樹脂製や金属製のものとすることができる。
【００１０】
腰壁パネル（２）を施工する際には、受け部材（４）を幅木（３）の平たい上端部上に平板部（４１１）を載せて設置し、挿入部（４１）に腰壁パネル（２）の下端部を挿入する。幅木（３）上に設置した後の受け部材（４）の挿入部（４１）は、平板部（４１１）および前方立板部（４１２）と壁面（１）とにより囲まれた空間として形成され、腰壁パネル（２）の下端部は、この空間において平板部（４１１）上方の壁面（１）と前方立板部（４１２）との間でしっかりと挟持されるようになる。
【００１１】
したがって、既設の幅木（３）はそのままに、その上端部上にて受け部材（４）を介して腰壁パネル（２）の下端部を支持することができ、腰壁パネル（２）の施工の簡素化を実現できるのである。また、腰壁パネル（２）の交換等も受け部材（４）を取り外すだけで可能となる。
【００１２】
図２は、この出願の発明の腰壁パネルの幅木受け構造の別の一実施形態を示したものである。この図２の実施形態では、受け部材（４）の挿入部（４１）が、平板部（４１１）および前方立板部（４１２）とともに、平板部（４１１）の後端縁から立延設した後方立板部（４１３）とにより構成されている。この場合の受け部材（４）も、たとえば、平板部（４１１）、前方立板部（４１２）、後方立板部（４１３）を一体成形した樹脂製や金属製のものとすることができる。
【００１３】
腰壁パネル（２）を施工する際には、受け部材（４）を幅木（３）の平たい上端部上に平板部（４１１）を載せて設置し、挿入部（４１）に腰壁パネル（２）の下端部を挿入する。この場合の受け部材（４）の挿入部（４１）は、平板部（４１１）と前方立板部（４１２）および後方立板部（４１３）とにより囲まれた空間として形成されており、腰壁パネル（２）の下端部は、この空間において平板部（４１１）上方の前方立板部（４１２）および後方立板部（４１３）との間でしっかりと挟持されるようになる。
【００１４】
したがって、図１と同様に、既設の幅木（３）をそのまま利用して、その上端部上にて受け部材（４）を介して腰壁パネル（２）の下端部をしっかりと支持し、腰壁パネル（２）を容易に施工することができる。
【００１５】
また、図２の実施形態では、後方立板部（４１３）の板厚分だけ腰壁パネル（２）と壁面（１）との間に隙間ができるため、腰壁パネル（２）の裏面あるいは壁面（１）の凹凸をある程度吸収することもできる。
【００１６】
さらにまた、たとえば、後方立板部（４１３）を前方立板部（４１２）よりも上方に長いものとしておくことで、後方立板部（４１３）におけるネジ固定等によって受け部材（４）を壁面（１）へ固定するようにしてもよい。これにより、受け部材（４）のより強固な固定が可能となる。
【００１７】
なお、図１および図２のいずれにおいても、受け部材（４）を幅木（３）に沿った長尺体とすることで、その受け部材（４）の挿入部（４１）の任意位置に腰壁パネル（２）の下端部を挿入すればよいので、左右の腰壁パネル（２）の突合せ並設も容易に行うことができる。
【００１８】
【発明の効果】
以上詳しく説明したとおり、この出願の発明によって、既設の幅木を取り外すことなく、それをそのまま利用して腰壁パネルの下端部を容易に、且つしっかりと支持することができ、腰壁パネルの施工の簡素化を実現することのできる、新しい腰壁パネルの幅木受け構造が提供される。
【図面の簡単な説明】
【図１】この出願の発明の腰壁パネルの幅木受け構造の一実施形態を示した断面図である。
【図２】この出願の発明の腰壁パネルの幅木受け構造の別の一実施形態を示した断面図である。
【図３】壁面下部に通常の幅木が設置されている状態を説明するための図である。
【図４】腰壁専用幅木を用いた従来の幅木受け構造を説明するための図である。
【符号の説明】
１  壁面
２  腰壁パネル
３  幅木
４  受け部材
４１  挿入部
４１１  平板部
４１２  前方立板部
４１３  後方立板部
【図１】
0003731509.tif 000002
【図２】
0003731509.tif 000003
【図３】
0003731509.tif 000004
【図４】
0003731509.tif 000005